(57)【要約】【課題】内部記録媒体で記録されたデータのうち、携帯端末装置側で再生されたデータを自動的に消去対象として選択すること又は自動的に消去することが可能な記録装置を提供する。【解決手段】記録装置（録画装置１で例示）は、内部記録媒体（記憶部１６で例示）に記録された記録データ（放送番組データで例示）を、携帯端末装置３に装着可能な又は装着された可搬記録媒体３０にコピーするデータ出力部と、放送番組データが再生済みであることを示す再生済み情報を可搬記録媒体３０から読み出し、その再生済み情報に記述された再生済みの放送番組データに対応する記憶部１６内の放送番組データを消去する消去部と、を備える。この再生済み情報は、携帯端末装置３が放送番組データの再生時に可搬記録媒体３０に記録しておく。【選択図】図１
2010244595.tif 000002
【特許請求の範囲】
【請求項１】
内部記録媒体を有する記録装置であって、該内部記録媒体に記録された記録データを、携帯端末装置に装着可能な又は装着された可搬記録媒体にコピーするデータ出力部と、該データ出力部でコピーされた記録データが再生済みであることを示す再生済み情報を、前記可搬記録媒体から読み出し、前記再生済み情報に記述された再生済みの記録データに対応する前記内部記録媒体内の記録データを消去する消去部と、を備えたことを特徴とする記録装置。
【請求項２】
請求項１に記載の記録装置において、前記消去部は、前記消去を実行するか否かを、ユーザ操作に基づき決定することを特徴とする記録装置。
【請求項３】
請求項１又は２に記載の記録装置において、
前記内部記録媒体に記録された前記記録データより情報量が少ない出力専用データを生成して、前記内部記録媒体に記録する出力用データ生成部を、さらに備え、
前記データ出力部は、前記記録データの代わりに前記出力用データ生成部で生成された前記出力専用データを、前記可搬記録媒体にコピーし、
前記消去部は、前記再生済み情報に記述された再生済みの出力専用データに対応する、前記内部記録媒体内の出力専用データ、又は前記内部記録媒体内の出力専用データ及び該出力専用データの生成元の記録データを消去することを特徴とする記録装置。
【請求項４】
請求項１〜３のいずれか１項に記載の記録装置において、
前記データ出力部は、前記可搬記録媒体の代わりに、前記記録装置に接続された前記携帯端末装置に内蔵された携帯側の内部記録媒体をコピー先とし、
前記消去部は、前記再生済み情報を、前記記録装置に接続された前記携帯端末装置の前記携帯側の内部記録媒体から読み出すことを特徴とする記録装置。
【請求項５】
請求項１又は２に記載の記録装置により前記可搬記録媒体にコピーされた記録データを再生可能な携帯端末装置であって、前記可搬記録媒体にコピーされた記録データのうち前記携帯端末装置で再生された記録データについて、再生済みであることを示す再生済み情報を、前記可搬記録媒体に記録する再生済み情報記録部を備えたことを特徴とする携帯端末装置。
【請求項６】
請求項３に記載の記録装置により前記可搬記録媒体にコピーされた出力専用データを再生可能な携帯端末装置であって、前記可搬記録媒体にコピーされた出力専用データのうち前記携帯端末装置で再生された出力専用データについて、再生済みであることを示す再生済み情報を、前記可搬記録媒体に記録する再生済み情報記録部を備えたことを特徴とする携帯端末装置。
【請求項７】
請求項５又は６に記載の携帯端末装置において、入力データを入力するデータ入力部と、該データ入力部で入力した入力データを再生するデータ再生部と、をさらに備え、前記再生済み情報記録部は、前記データ再生部で再生された入力データについても、前記再生済み情報を前記可搬記録媒体に記録することを特徴とする携帯端末装置。
【請求項８】
請求項７に記載の携帯端末装置において、前記データ入力部で入力した入力データを前記可搬記録媒体に記録するデータ記録部をさらに備え、前記再生済み情報記録部は、前記データ記録部で記録され前記データ再生部で再生された入力データについても、前記再生済み情報を前記可搬記録媒体に記録することを特徴とする携帯端末装置。
【請求項９】
請求項５〜８のいずれか１項に記載の携帯端末装置において、前記再生済み情報記録部は、前記携帯端末装置で所定時間又は所定割合以上再生されたデータについてのみ、前記再生済み情報を前記可搬記録媒体に記録することを特徴とする携帯端末装置。
【発明の詳細な説明】
【技術分野】
【０００１】
本発明は、記録装置及び携帯端末装置に関し、より詳細には、放送波で受信した放送番組データ等の入力データを記録可能な記録装置、及びその記録装置で記録されたデータを再生可能な携帯端末装置に関する。
【背景技術】
【０００２】
従来から、放送番組データを記録するレコーダ等の記録装置が流通している。近年、携帯電話機等の携帯端末装置側で再生させるために、携帯端末装置に装着可能な可搬記録媒体などにその放送番組データをコピーすることが可能な記録装置も提案されている。
【０００３】
このようなコピーにより携帯端末装置側に記録された放送番組データのうち、視聴済みの放送番組データは携帯端末装置側で不要となることが多いが、放送番組データ毎に手動で消去を行うためには労力が必要となる。
【０００４】
このような問題に対し、特許文献１に記載の録画番組自動格納システムでは、サーバ側からの視聴後削除命令に基づき、携帯端末装置で見終えた連続番組を自動的に更新（第Ｎ回を消去して第Ｎ＋１回を転送）することが可能になっている。
【先行技術文献】
【特許文献】
【０００５】
【特許文献１】特開２００６−２７９６９８号公報
【発明の概要】
【発明が解決しようとする課題】
【０００６】
しかしながら、携帯端末装置側で視聴済みの放送番組データは携帯端末装置側だけでなくコピー元である記録装置側でも不要となることが多く、特許文献１に記載のシステムでは、携帯端末装置で見終えた放送番組データに対応するサーバ側の放送番組データを消去する際には、手動で削除対象を探す手間がかかってしまう。
【０００７】
本発明は、上述のような実状に鑑みてなされたものであり、その目的は、内部記録媒体に記録されたデータのうち、携帯端末装置側で再生されたデータを自動的に消去対象として選択すること又は自動的に消去することが可能な記録装置を提供すること、並びに、その記録装置で記録されたデータをコピーして再生したときに、そのデータに対応する記録装置側のデータを消去対象として選択可能にする情報を記録することが可能な携帯端末装置を提供すること、にある。
【課題を解決するための手段】
【０００８】
上記課題を解決するために、本発明の第１の技術手段は、内部記録媒体を有する記録装置であって、該内部記録媒体に記録された記録データを、携帯端末装置に装着可能な又は装着された可搬記録媒体にコピーするデータ出力部と、該データ出力部でコピーされた記録データが再生済みであることを示す再生済み情報を、前記可搬記録媒体から読み出し、前記再生済み情報に記述された再生済みの記録データに対応する前記内部記録媒体内の記録データを消去する消去部と、を備えたことを特徴としたものである。
【０００９】
第２の技術手段は、第１の技術手段において、前記消去部は、前記消去を実行するか否かを、ユーザ操作に基づき決定することを特徴としたものである。
【００１０】
第３の技術手段は、第１又は第２の技術手段において、前記内部記録媒体に記録された前記記録データより情報量が少ない出力専用データを生成して、前記内部記録媒体に記録する出力用データ生成部を、さらに備え、前記データ出力部は、前記記録データの代わりに前記出力用データ生成部で生成された前記出力専用データを、前記可搬記録媒体にコピーし、前記消去部は、前記再生済み情報に記述された再生済みの出力専用データに対応する、前記内部記録媒体内の出力専用データ、又は前記内部記録媒体内の出力専用データ及び該出力専用データの生成元の記録データを消去することを特徴としたものである。
【００１１】
第４の技術手段は、第１〜第３のいずれかの技術手段において、前記データ出力部は、前記可搬記録媒体の代わりに、前記記録装置に接続された前記携帯端末装置に内蔵された携帯側の内部記録媒体をコピー先とし、前記消去部は、前記再生済み情報を、前記記録装置に接続された前記携帯端末装置の前記携帯側の内部記録媒体から読み出すことを特徴としたものである。
【００１２】
第５の技術手段は、第１又は第２の技術手段における記録装置により前記可搬記録媒体にコピーされた記録データを再生可能な携帯端末装置であって、前記可搬記録媒体にコピーされた記録データのうち前記携帯端末装置で再生された記録データについて、再生済みであることを示す再生済み情報を、前記可搬記録媒体に記録する再生済み情報記録部を備えたことを特徴としたものである。
【００１３】
第６の技術手段は、第３の技術手段における記録装置により前記可搬記録媒体にコピーされた出力専用データを再生可能な携帯端末装置であって、前記可搬記録媒体にコピーされた出力専用データのうち前記携帯端末装置で再生された出力専用データについて、再生済みであることを示す再生済み情報を、前記可搬記録媒体に記録する再生済み情報記録部を備えたことを特徴としたものである。
【００１４】
第７の技術手段は、第５又は第６の技術手段において、入力データを入力するデータ入力部と、該データ入力部で入力した入力データを再生するデータ再生部と、をさらに備え、前記再生済み情報記録部は、前記データ再生部で再生された入力データについても、前記再生済み情報を前記可搬記録媒体に記録することを特徴としたものである。
【００１５】
第８の技術手段は、第７の技術手段において、前記データ入力部で入力した入力データを前記可搬記録媒体に記録するデータ記録部をさらに備え、前記再生済み情報記録部は、前記データ記録部で記録され前記データ再生部で再生された入力データについても、前記再生済み情報を前記可搬記録媒体に記録することを特徴としたものである。
【００１６】
第９の技術手段は、第５〜第８のいずれかの技術手段において、前記再生済み情報記録部は、前記携帯端末装置で所定時間又は所定割合以上再生されたデータについてのみ、前記再生済み情報を前記可搬記録媒体に記録することを特徴としたものである。
【発明の効果】
【００１７】
本発明に係る記録装置によれば、内部記録媒体に記録されたデータのうち、携帯端末装置側で再生されたデータを、自動的に消去対象として選択すること又は自動的に消去することが可能になる。また、本発明に係る携帯端末装置によれば、そのような記録装置で記録されたデータをコピーして再生したときに、そのデータに対応する記録装置側のデータを消去対象として選択可能な情報を、記録することが可能になる。
【図面の簡単な説明】
【００１８】
【図１】本発明の一実施形態に係る、録画装置及び携帯端末装置を備えた録画管理システムの一構成例を示すブロック図である。
【図２】図１の録画管理システムにおける携帯端末装置で格納される再生済みリストの一例を示す図である。
【図３】図１の録画管理システムで行う消去処理の一例を説明するためのフロー図である。
【図４】図３の消去処理において録画装置が実行する消去処理メインループの一例を説明するためのフロー図である。
【図５】図４の消去処理メインループにおいて表示装置に出力される問合せ画面の一例を示す図である。
【図６】図１の録画管理システムにおける携帯端末装置で格納される再生済みリストの他の例を示す図である。
【発明を実施するための形態】
【００１９】
本発明に係る記録装置は、携帯端末装置で使用可能な可搬記録媒体に放送番組データ等の記録データ又はその圧縮データをコピーすること、並びに、携帯端末装置側で再生済みのデータに対応する記録装置内の放送番組データ等の記録データ又はその圧縮データを消去対象として自動的に選択することが可能な装置である。これら記録装置及び携帯端末装置により、記録装置側での消去対象の選択が自動的にできる記録管理システムを構成する。
【００２０】
以下、本発明に係る記録管理システムについて、図面を参照しながら説明する。但し、以下の説明では、コピー対象の記録データを放送番組データで例示すると共に、そのコピー対象の放送番組データが、記録装置の放送受信部で受信した映像信号が示すデータ（映像データ）であることを前提とし、音声信号が示すデータ（音声データ）については触れない。音声データについては、圧縮方法や最終的な出力先がスピーカであることなどが映像データと異なるだけで、コピーや消去などは映像データと同時に取り扱えばよい。また、録画装置を挙げて説明するが、本発明に係る記録装置は、映像データを含まず音声データを含む放送番組データ等の記録データをユーザに聴取させるために取り扱うラジオ用の記録装置として、構成することもできる。また、放送番組データ以外の記録データについては最後に補足する。
【００２１】
さらに、録画装置として、一般的に流通している録画装置のように、再生機能も備えた録画装置（つまり録画再生装置）を例に挙げて説明するが、本発明の一部の実施形態に係る記録装置に再生機能は必須ではなく、また録画装置として構成する場合にも以下に例示する構成に限ったものではない。なお、再生機能を備えない録画装置の場合には、外部に接続した再生機器から録画機器内の映像データが読み出し可能な構成であれば映像データの再生も可能である。
【００２２】
図１は、本発明の一実施形態に係る、録画装置及び携帯端末装置を備えた録画管理システムの一構成例を示すブロック図である。図１に示す録画管理システム（番組録画再生システム）は、録画装置１、表示装置２、及び携帯端末装置３で構成される。
【００２３】
表示装置２としては、テレビ装置、モニタ装置等が挙げられる。なお、録画装置１と表示装置２とは、有線又は無線で接続されていることを前提に説明するが、録画装置１が表示装置２に組み込まれていてもよい。
【００２４】
携帯端末装置３としては、携帯電話機、携帯情報端末（ＰＤＡ）、携帯型ゲーム機等が挙げられ、可搬記録媒体３０が装着可能になっているものとする。可搬記録媒体３０としては、ＳＤ規格の各種メモリカード、メモリースティック（登録商標）など、様々な記録媒体が適用できる。なお、可搬記録媒体３０は書き込み可能であればよいが、そこに記録するデータ（後述する映像データや再生済み情報等）は書き換えた方が容量的にも管理的にも好ましいため、可搬記録媒体３０としては書き換え可能な記録媒体を採用することが好ましい。
【００２５】
録画装置１は、制御部１０、録画部１１、映像入力部１２、映像出力部１３、操作部１４、通信部１５、及び記憶部１６を備え、これらが接続されてなる。制御部１０は、録画装置１の全体を制御する。操作部１４は、リモコンからの操作信号を受信する受信部や本体操作部で構成され、ユーザ操作を入力し、その操作の内容を制御部１０に伝える。操作部１４では、チャンネル切替操作、録画操作、録画予約操作など、様々なユーザ操作が入力可能となっている。
【００２６】
映像入力部１２は、映像データ（映像ストリーム）、実際には映像データを含む放送番組データ（放送ストリーム）を受信する放送受信部の一例であり、ＢＳ／ＣＳデジタルチューナ、地上デジタルチューナなどで構成される。映像入力部１２から出力される映像データは、操作部１４でのチャンネル切替操作や録画予約で指定されたチャンネルの復調後の映像データとなる。
【００２７】
録画部１１は、操作部１４からの録画操作又は録画予約操作に基づいて、映像入力部１２から出力された映像データを内部記録媒体に記録する。ここで記録された映像データが上述した記録データに相当する。記憶部１６は、この内部記録媒体の一例であり、例えばハードディスクや半導体メモリでなる。また、記憶部１６としては、ＢＤ（Blu-Ray Disc）−ＲＥ，ＤＶＤ（Digital Versatile Disc）−ＲＷ等の書き換え可能な可搬記録媒体とその駆動装置（入出力Ｉ／Ｆ）とを備えてもよい。なお、ここで言うところの可搬記録媒体は、可搬記録媒体３０とは別個の記録媒体である。
【００２８】
録画部１１は、映像入力部１２から出力された映像データを、そのまま記憶部１６に記録するよう構成してもよいし、デコーダでデコードして記録するよう構成してもよいし、さらにはトランスコーダでレート変換して記録するよう構成してもよい。記録の方法は操作部１４から指定可能としておけばよい。図１では、放送番組Ａ，Ｂ，Ｃの映像データのファイルが、そのまま又はデコード又はトランスコードして、それぞれ録画ファイルＡ（１７ａ），録画ファイルＢ（１７ｂ），録画ファイルＣ（１７ｃ）として記憶部１６に記録された例を挙げている。
【００２９】
映像出力部１３は、デコーダや映像出力端子等で構成される。なお、このデコーダは録画部１１において説明したデコーダと併用してもよい。映像出力部１３は、映像入力部１２から出力された映像データをデコードして再生して、表示装置２に出力する。また、映像出力部１３は、記憶部１６に記憶された映像データ（例えば録画ファイルＡ  １７ａ等）を再生して、表示装置２に出力する。映像データが符号化されている場合、再生時にはデコードが施される。映像出力部１３での出力対象の映像データの切り替えは、操作部１４でのユーザ操作に応じて実行すればよい。
【００３０】
通信部１５は、携帯端末装置３との接続部であり、ＵＳＢ（Universal Serial Bus）ケーブル等のケーブルによる有線通信又は無線通信により、携帯端末装置３との間でデータの送受を行う。
【００３１】
録画装置１は、次のデータ出力部を備える。データ出力部は、記憶部１６に記録された放送番組の映像データを、携帯端末装置３に装着された可搬記録媒体３０にコピーする。このデータ出力部は、制御部１０及び通信部１５で主に例示できる。
【００３２】
例えば、まず記憶部１６内の映像データのタイトル等をリスト化した録画リストのＯＳＤ（On Screen Display）画像を、表示装置２に表示する。この録画リストは、各映像データをユーザ選択可能に表示しておく。次いで、操作部１４からのユーザによる選択操作を受け付けた後、携帯端末装置３へのコピー操作を受け付ける。このようなユーザ操作の内容を操作部１４から受けた制御部１０が、選択されコピー指示がなされた映像データ（例えば録画ファイルＡ  １７ａ等）を記憶部１６から読み出して、通信部１５を介して携帯端末装置３の可搬記録媒体３０にコピーする。
【００３３】
但し、コピーする映像データは、携帯端末装置３で再生可能なデータとする。例えば、録画装置１がフルセグメント（フルセグ）の地上デジタル放送の映像データを受信する場合、携帯端末装置３での再生性能（主に表示能力）がその映像データをそのままのレートで再生できない場合には、その携帯端末装置３で再生可能な映像データ、つまり記録時にレート変換により圧縮された映像データだけがコピーの対象にできる。
【００３４】
携帯端末装置３に、フルセグの地上デジタル放送のチューナが搭載されておらず、ワンセグメント（ワンセグ）チューナのみが搭載されているケースを想定する。この場合、ワンセグチューナの映像解像度３２０画素×１８０ライン（又は３２０×２４０）、最大フレームレート１５ｆｐｓ、最大伝送速度（例えば３８４ｋｂｐｓ）に比べ、少なくとも精細な映像データを記憶部１６に記録しておき、それを可搬記録媒体３０にコピーすることで、携帯端末装置３において取得可能なワンセグ映像より綺麗な映像を携帯端末装置３で視聴することができるようになる。例えば、フルセグ用の映像解像度６４０画素×３６０ライン（又は６４０×４８０）、最大フレームレート３０ｆｐｓ、最大伝送速度１．５Ｍｂｐｓの映像データを、録画装置１で記録し、可搬記録媒体３０にコピーするとよい。
【００３５】
また、録画装置１の通信部１５と携帯端末装置３とが有線又は無線で接続可能であることを前提としたが、通信部１５の代わりに又は通信部１５と共に、携帯端末装置３で使用可能な可搬記録媒体３０についての入出力Ｉ／Ｆである可搬記録媒体駆動装置を録画装置１側にも設け、可搬記録媒体３０を持ち運ぶことによりデータの送受を可能に構成してもよい。この可搬記録媒体駆動装置は、録画装置１の内部に設けても、ケーブル経由で録画装置１に接続して設けてもよい。
【００３６】
このような構成を採用した場合、データ出力部は、制御部１０及びこの可搬記録媒体駆動装置で主に例示できる。例えば、携帯端末装置３に装着可能な可搬記録媒体３０をユーザが録画装置１の可搬記録媒体駆動装置に装着しておき、制御部１０が、ユーザにより指示された映像データを記憶部１６から読み出して、その可搬記録媒体駆動装置を介してその可搬記録媒体３０にコピーすればよい。その後、ユーザが携帯端末装置３にその可搬記録媒体３０を装着すれば、コピーされた映像データを再生できる。
【００３７】
録画装置１は、その主たる特徴として次の消去部を備える。消去部は、コピーされた映像データが再生済みであることを示す再生済み情報を可搬記録媒体３０から読み出す。再生済み情報についてはその詳細を後述する。ここで、再生済みとはユーザが視聴済みであることを意味する。そして、消去部は、その再生済み情報に記述された再生済みの映像データに対応する記憶部１６内の映像データを抽出（選択）して消去する。
【００３８】
この消去部は、主に制御部１０及び記憶部１６で例示できる。また、消去された又は消去することが決定した映像データに関する可搬記録媒体３０中の再生済み情報は、録画装置１が可搬記録媒体３０にアクセスできる間に消去すればよい。
【００３９】
また、消去部は、再生済み情報に基づく映像データの消去を実行するか否かを、ユーザ操作に基づき決定し、実行する旨のユーザ操作が決定時又は事前設定にあるときのみ、消去を行うようにしてもよい。例えば、消去部は、可搬記録媒体３０から再生済み情報を読み込んだときに、消去を行うか否かを問い合わせる問合せ画面を表示装置２に表示させ、操作部１４で受け付けたユーザからの応答に基づき消去するか否かを決定すればよい。若しくは、消去部は、予め設定された消去に関するユーザ設定（又はデフォルト設定）に基づき、消去するか否かを決定する。また、消去の実行の可否を判定した映像データに関する可搬記録媒体３０中の再生済み情報も、録画装置１が可搬記録媒体３０にアクセスできる間に消去すればよい。
【００４０】
次に、上述した再生済み情報について、並びに携帯端末装置３においてこの再生済み情報を可搬記録媒体３０に記録するための構成について、説明する。携帯端末装置３は、上述のようにして録画装置１により可搬記録媒体３０にコピーされた映像データが再生可能になっている。
【００４１】
携帯端末装置３は、その主たる特徴として、次の再生済み情報記録部を備える。この再生済み情報記録部は、可搬記録媒体３０にコピーされた映像データのうち携帯端末装置３で再生された映像データについて、再生済みであることを示す再生済み情報を可搬記録媒体３０に記録する。この再生済み情報記録部は、図示しないが、主に可搬記録媒体３０の駆動装置と携帯端末装置３の全体を制御する制御部とで例示できる。
【００４２】
また、携帯端末装置３が再生された映像データ自体を削除した場合でも、その削除した映像データに関する再生済み情報は録画装置１で読まれるまで残しておく。未再生の映像データ自体が削除された場合については、再生済みとして再生済み情報を記録しておいてもよいし、未再生としておいてもよく、いずれを採用するかは運用次第である。
【００４３】
また、再生済み情報記録部は、携帯端末装置３で所定時間以上又は所定割合（時間的な割合）以上再生された映像データについてのみ、再生済み情報を可搬記録媒体３０に記録するようにすることが好ましい。所定割合としては１００％を採用し、全て再生された映像データについてのみ再生済み情報を記録するようにしてもよい。また、映像データの再生を終了する操作をユーザから受け付けたときなどに、ユーザに再生済み情報を記録するか否かを問い合わせ、その結果に基づき、再生済み情報の記録の可否（録画装置１での消去対象とするか否かを意味する）を決めてもよい。
【００４４】
再生済み情報は、映像データの番組情報を示す項目と、再生済みか否かを示す情報とが含まれていればよい。ここで記述すべき番組情報の簡単な例を挙げると、チャンネル（及び受信地域）と放送時間帯（日時）とを記述しておけばよく、特に番組名等は記述しておく必要はない。また、再生済みか否かを示す情報は、映像データの番組情報を示す項目の存在のみをもって、録画装置１が再生済みと取り扱うようにしてもよい。なお、再生済み情報は、再生済みである番組が判別できればよく、コピーされた映像データについては、未再生情報として格納したものであってもよい。
【００４５】
再生済み情報は、映像データに関して各項目を記述した再生済みリストとして生成し、可搬記録媒体３０に記録しておいてもよい。新たな映像データに関する再生済み情報は、その再生済みリストに追加していけばよい。この場合、上記再生済み情報記録部は、再生済みリスト３１を生成（及び更新）して可搬記録媒体３０に記録するリスト生成部となる。また、再生済み情報としては、再生済みリストのように別途記述する方法以外に、映像データのファイル自体に再生済みのフラグを付加することで記述してもよい。
【００４６】
このように、本発明に係る携帯端末装置３によれば、録画装置１で記録されたデータをコピーして再生したときに、そのデータに対応する録画装置１側のデータを消去対象として選択可能な情報（上記再生済み情報）を、記録することが可能になる。従って、本発明に係る録画装置１によれば、記憶部１６に録画されたデータのうち、携帯端末装置３側で再生されたデータを、自動的に消去対象として選択すること又は自動的に消去することが可能になる。
【００４７】
次に、本発明の他の実施形態について説明する。録画装置１においては、録画部１１は、記憶部１６に記録済みの映像データについて、トランスコーダ等でレート変換して記憶部１６に再記録ができるように構成することもできる。この構成を採用することで、例えば録画ファイルＡ（１７ａ），Ｂ（１７ｂ），Ｃ（１７ｃ）をそれぞれ圧縮し、図１に図示したようにそれぞれ圧縮ファイルＡ（１８ａ），Ｂ（１８ｂ），Ｃ（１８ｃ）として記憶部１６に記録できる。
【００４８】
本実施形態に係る録画装置１は、次の出力用データ生成部を備える。この出力用データ生成部は、記録済みの映像データより情報量が少ない（つまりビット数が少ない）出力専用データを生成し、記憶部１６に記録する。
【００４９】
また、この出力専用データは、記録済みの映像データから映像解像度を低くするなどしてビットレートを下げた圧縮映像データであり、且つ、携帯端末装置３で再生可能な映像データである。録画時と同様に、携帯端末装置３にフルセグ用チューナが搭載されておらずワンセグチューナのみが搭載されているケースを想定する。この場合、ワンセグチューナの映像解像度、最大フレームレート、最大伝送速度より精細になるように、別途、出力専用データを生成し可搬記録媒体３０に記録しておくことで、携帯端末装置３において取得可能なワンセグ映像より綺麗な映像を携帯端末装置３で視聴することができるようになる。例えば、フルセグ用の映像解像度、最大フレームレート、最大伝送速度で規定されるデータとして、出力専用データを生成しておけばよい。
【００５０】
この出力用データ生成部は、主に制御部１０、及びトランスコーダを有する（又はデコーダに加えてエンコーダも有する）録画部１１で例示できる。例えば、制御部１０の制御により、トランスコーダで録画ファイルＡ（１７ａ）から圧縮ファイルＡ（１８ａ）を生成して記憶部１６に記録する。
【００５１】
また、生成した出力専用データを記憶部１６に記録する際、再生部で再生不可能な状態で記録することが好ましい。ここで、再生部は、映像出力部１３で例示したように、記憶部１６に記録された映像データを再生する部位とする。再生不可能な状態で記録するとは、単に、ユーザ操作で再生のための選択ができないように、出力専用データを録画リストに掲示しないようにしておくだけでもよいし、録画リストには掲示するが録画リスト上でユーザ選択不可能にしておくだけでもよい。なお、録画装置１が再生部を具備しない構成においては、録画装置１に外部接続した再生機器からも再生不可能な状態としておけばよい。
【００５２】
出力専用データの生成のタイミングは、ユーザによるコピー操作を受け付けてからそのコピー操作の対象を圧縮対象として出力専用データを生成するようにすればよい。しかし、映像データの生成後、直ぐにその映像データを自動的に圧縮対象として出力専用データを生成しておくことが、コピー操作からコピーの完了までの待ち時間を無くすことができるため好ましい。出力専用データ生成中のコピー操作の場合にも、少なくとも待ち時間を減らすことはできる。
【００５３】
データ出力部は、記憶部１６に記録された映像データの代わりに、出力用データ生成部で生成され記憶部１６に記録された出力専用データを、可搬記録媒体３０にコピーする。このようにしてコピーされた結果として、図１では可搬記録媒体３０に、圧縮ファイルＡ（１８ａ），Ｂ（１８ｂ）にそれぞれ対応する圧縮ファイルＡ（３２ａ），Ｂ（３２ｂ）が記録された例を図示している。このように、可搬記録媒体３０にコピーされる映像データとしては、元の番組の映像データと全く同一のものに限ったものではなく、元の番組の映像データとは圧縮形式などが異なるものであってもよく、可搬記録媒体３０内で再生する映像データと記憶部１６内の映像データとで１対１に対応づけられているか、若しくは多対１に対応づけられていればよい。
【００５４】
多対１に対応づけられている場合とは、記憶部１６内の映像データを複数個に分割して可搬記録媒体３０に格納する場合が想定できる。実際、記憶部１６内の映像データが携帯端末装置３側で使用できるファイルサイズの上限を超える場合には、出力専用データをファイル分割して作成する必要がある。単に可搬記録媒体３０の容量の上限を超える場合だけではなく、例えば、ファイルシステムの仕様、映像ファイルの規格、携帯端末装置３に搭載されたプレイヤの仕様によってもファイルの制限があり得る。
【００５５】
上述したように、出力専用データを再生不可能な状態で記録することで、ダビング１０といったコピー制限がかかっている場合にも、出力専用データを生成したときにはダビング回数に換算せずにコピー実行後にはじめてダビング回数にカウントすることができる。しかしながら、録画リストではコピー対象の選択のための工夫が必要となる。
【００５６】
従って、コピーのためのユーザ選択を、元の映像データに対して行わせることで、自動的に出力専用データが可搬記録媒体３０にコピーされるようにしておけばよい。例えば、元の映像データである録画ファイルＡ（１７ａ）が選択されコピー指示がなされ、それを制御部１０が受け付けた場合、自動的に圧縮ファイルＡ（１８ａ）を選択して、通信部１５を介して可搬記録媒体３０にコピーする。
【００５７】
若しくは、録画リスト上で所望の元の映像データ（例えば録画ファイルＡ  １７ａ）をユーザが選択すると、次のようなプルダウンメニューを表示装置２に表示するようにしてもよい。このプルダウンメニューは、選択されたそのもの（録画ファイルＡ  １７ａ）をコピーする処理と、その出力専用データ（圧縮ファイルＡ  １８ａ）をコピーする処理と、がユーザ選択可能になっている。制御部１０がこのプルダウンメニュー表示させ、表示中にユーザ選択を受け付けて、ユーザが選択操作した方をコピー対象として決定し、コピー処理を実行すればよい。
【００５８】
また、出力用データ生成部で生成する出力専用データの生成元は、記憶部１６に記録済みの映像データに限らず、データ出力部で出力対象とできる映像データであればよい。従って、生成元は放送波で受信した映像データであってもよい。すなわち、上述した出力用データ生成部は、映像データの記録時に同時に、情報量を削減した出力専用データも生成し、生成した出力専用データを（好ましくは上記再生部で再生不可能な状態で）記憶部１６に記録するように構成してもよい。
【００５９】
この出力用データ生成部は、主に制御部１０、及びトランスコーダを有する録画部１１で例示できる。例えば、制御部１０の制御により、録画ファイルＡ（１７ａ）の記録時に同時に、トランスコーダで圧縮ファイルＡ（１８ａ）も生成して記憶部１６に記録する。また、この出力専用データは、同時に記録する映像データより映像解像度を低く設定するなどして低ビットレートの圧縮データであり、且つ、携帯端末装置３で再生可能な映像データである。この例では、出力専用データの生成のタイミングが録画時であるため、コピー操作からコピーの完了までの待ち時間を無くすことができる。
【００６０】
このように、本実施形態では、データ出力部が、記録された映像データの代わりに出力用データ生成部で生成・記録された出力専用データを可搬記録媒体３０にコピーしている。従って、消去部における消去対象もこの出力専用データとなるため、携帯端末装置３の再生済み情報記録部でも、この出力専用データについての再生済み情報を記録する。
【００６１】
図２を参照しながら、出力専用データに関する再生済み情報の記録処理の一例について説明する。図２は、図１の録画管理システムにおける携帯端末装置で格納される再生済みリストの一例を示す図である。
【００６２】
まず、ユーザが携帯端末装置３を録画装置１に接続するなどして、録画装置１から可搬記録媒体３０をアクセス可能にする。録画装置１は可搬記録媒体３０にマスストレージモードで接続する。接続後、ユーザ指示に応じて、録画装置１で録画した番組の圧縮ファイルのうち圧縮ファイルＡ（１８ａ），Ｂ（１８ｂ）を、同時に又は別個に携帯端末装置３の可搬記録媒体３０に転送する。ここで転送とは、移動（ムーブ）ではなくコピーを指し、結果として記憶部１６内に残したまま、可搬記録媒体３０に圧縮ファイルＡ（３２ａ），Ｂ（３２ｂ）が記録される。なお、消去処理の説明として後述するが、録画装置１は可搬記録媒体３０に接続した段階で、再生済みリストを探し、存在すれば読み込むことになる。
【００６３】
ここで、ユーザが携帯端末装置３を操作して、圧縮ファイルＡ（３２ａ）を再生したとする。携帯端末装置３の再生済み情報記録部は、圧縮ファイルＡ（３２ａ）が再生済みとなったか判定する。再生済みになったか否かの判定方法自体は、上述したように、総再生時間が映像データの長さ（録画時間）の一定割合以上又は所定時間以上になることを条件にしてもよいし、再生が映像データの終端に達したか否かによってもよいし、ユーザ自らが「再生済み（つまり視聴済み）」であることや「削除」対象とすることを選択可能に構成しておいてもよい。
【００６４】
再生済みとなった場合、再生済み情報記録部は、この圧縮ファイルＡ（３２ａ）については再生済みフラグを「１」（ＯＮ）にし、未再生の圧縮ファイルＢ（３２ｂ）については再生済みフラグを「０」（ＯＦＦ）にした再生済みリスト３１ａを生成し、可搬記録媒体３０に記録する。この結果、図１における再生済みリスト３１として再生済みリスト３１ａが可搬記録媒体３０に記録される。元々再生済みリストが存在した場合には、その再生済みリストにコピー実行分の再生済み情報を追記すればよく、追記することで再生済みリスト３１ａのような記述が含まれるリストとなる。
【００６５】
また、上述したように、未再生である圧縮ファイルＢ（３２ｂ）については再生済みリストに含めなくてもよい。さらに、再生済みリストを追記（及び生成）するタイミングは、再生済みであることが録画装置１での読み出し時に正確に把握できるタイミング（つまり録画装置１で読み出される可能性があるタイミングの手前）であればよい。
【００６６】
なお、再生済みリストは、録画装置１がコピー実行時にそのときコピーした全てのファイルに対して再生済みフラグ「０」で生成し、可搬記録媒体３０に記録しておいてもよい。元々再生済みリストが存在した場合には、それにコピー実行分を追記すれば済む。そして、携帯端末装置３の再生済み情報記録部が、再生済みのファイルが生じたときにそのファイルについての再生済みフラグを「１」に書き換えればよい。また、録画装置１が可搬記録媒体３０に接続したときに自動的に未コピー分のコピーを実行するように設定していてもよく、その場合にも、その接続時に自動的に再生済みリストを生成又は更新すればよい。
【００６７】
このようにして可搬記録媒体３０に記録された再生済み情報に基づいて、本実施形態における消去部は消去を実行する。より具体的には、消去部は、携帯端末装置３で再生済みの映像データ（出力専用データをコピーしたデータ）に対応する、記憶部１６内の出力専用データを消去する。若しくは、消去部は、その再生済み情報に基づき、携帯端末装置３で再生済みの映像データに対応する、記憶部１６内の出力専用データとその出力専用データの生成元の映像データとを消去する。但し、ここでの例のように映像データとその出力専用データとが記憶部１６に存在する場合には、出力専用データをコピーする代わりにムーブしておき、消去部が、生成元の映像データを検索して消去するようにしてもよい。
【００６８】
また、記憶部１６内の映像データを複数個に分割して可搬記録媒体３０に格納した場合については、例えば、分割後のそれぞれの分割ファイルについて再生済みとなったときに再生済みリスト３１ａに記録しておけばよい。そして、録画装置１側でこの再生済みリスト３１ａを参照にして全ての分割ファイルが再生済みとなったときに、それら分割ファイルの元となった記憶部１６内の１つの映像データ（及び記憶部１６内の分割ファイル）を検索して、消去すればよい。つまり、出力専用データが複数に分割される場合には、再生済みとする条件として、例えば「分割された個々の映像データが全て再生済みになること」を採用するなどすればよい。
【００６９】
図３及び図４のフローに従い、図１、図２、及び図５も併せて参照しながら、出力専用データに関する再生済み情報に基づく消去処理の一例について説明する。図３は、図１の録画管理システムで行う消去処理の一例を説明するためのフロー図で、図４は、図３の消去処理において録画装置が実行する消去処理メインループの一例を説明するためのフロー図である。また、図５は、図４の消去処理メインループにおいて表示装置に出力される問合せ画面の一例を示す図である。
【００７０】
まず、ユーザが携帯端末装置３を録画装置１に接続する（ステップＳ１）。その後、自動的に制御部１０が、通信部１５を介して携帯端末装置３に装着された可搬記録媒体３０にマスストレージモードで接続し、再生済みリスト３１ａを取得する（ステップＳ２）。このように、再生済みリスト３１ａは、録画装置１との接続時には録画装置１から参照可能となる。ステップＳ２に続き、主に制御部１０が、図３で説明する消去処理メインループを実行する（ステップＳ３）。
【００７１】
消去処理メインループでは、まず、再生済みリスト３１ａのエントリに一致し、未処理の映像データ（勿論、出力専用データも含む）はあるか否かを検索して判定し（ステップＳ１１）、存在しなければ処理を終了する。ステップＳ１１でＹＥＳの場合には、未処理の映像データから、再生済みリスト３１ａの記述順など規定の順序で１つ選択する（ステップＳ１２）。
【００７２】
この例では、再生済みリスト３１ａにおいて再生済みとなっている圧縮ファイルＡ（３２ａ）が記憶部１６の圧縮ファイルＡ（１８ａ）に一致し、且つまだ処理済みでない。従って、ステップＳ１２では、圧縮ファイルＡ（１８ａ）が選択される。
【００７３】
続いて、図５の問合せ画面２１で例示するように、「○○○○（この例では圧縮ファイルＡ）は携帯端末装置で再生済みです。本体内の転送用映像データも消去しますか？」などと、出力専用データである圧縮ファイルＡ（１８ａ）の消去を行うか否かを問い合わせる画面を、表示装置２に表示させ、ユーザによる操作部１４からの入力（応答）を待つ（ステップＳ１３）。
【００７４】
問合せ画面２１には、ユーザ選択可能なように「はい」キー２１ａと「いいえ」キー２１ｂとが表示されており、ユーザにいずれかを選択させる。消去可否を示すユーザの入力があったとき、その入力を判定し（ステップＳ１４）、消去可のユーザ入力があったときには該当する映像データ（この場合、圧縮ファイルＡ  １８ａ）を消去して（ステップＳ１５）、ステップＳ１１へ戻る。なお、消去する場合には、まず消去可のリストに追加して、その後適当なときに消去を行ってもよい。一方、ステップＳ１４で消去可のユーザ入力がなかったときには該当する映像データ（この場合、圧縮ファイルＡ  １８ａ）を処理済みとし（ステップＳ１６）、ステップＳ１１へ戻る。また、問い合わせを行わなくても、事前にコピーされたデータが再生済みとなったときにコピー元のデータを消去するか否かのユーザ設定を行っておき、そのユーザ設定（又はデフォルト設定）に基づき、ステップＳ１４のような判定を行ってもよい。
【００７５】
また、ステップＳ１５，Ｓ１６のいずれの処理においても、再生済みリスト３１ａの対応するレコード（圧縮ファイルＡ  １８ａに関する情報）を消去するように、再生済みリスト３１ａを上書きしておく。これにより、次回の検索で重複する検索を行う必要を無くすことができる。但し、可搬記録媒体３０内の圧縮ファイルＡ（３２ａ）の削除がなされていない場合には、再度可搬記録媒体３０を携帯端末装置３で読み込んだときに、削除したレコードが再記録されてしまわないように、再生済みリストの生成・更新時に参照可能なように削除リストなどを別途記録しておくことが好ましい。
【００７６】
このようにして、録画装置１は、再生済みリスト３１ａの記述内容について可搬記録媒体３０と同期をとり、ユーザ自ら消去機能を呼び出すことなく且つ消去対象を探す必要なく、再生済みの映像データを自動的に消去対象として選択すること又は自動的に消去することができる。その結果、容易に映像データの整理ができる。
【００７７】
一方で、可搬記録媒体３０側に記録されたコピーされたデータ（この例では圧縮ファイルＡ  ３２ａ）については、同期時に、圧縮ファイルＡ（１８ａ）の消去に伴って録画装置１が可搬記録媒体３０から消去するようにしてもよい。このような可搬記録媒体３０内のデータの消去についても、ステップＳ１３で同時にユーザに問い合わせを行ってユーザからの応答に基づき実行してもよいし、事前に可搬記録媒体３０内に保持したユーザ設定（コピーされたデータを再生後に消去するか否かの設定）又はデフォルト設定に従って実行してもよい。
【００７８】
また、可搬記録媒体３０側の出力専用データ等の消去手順として、次のような手順を採用してもよい。まず携帯端末装置３で、ユーザが再生を途中で終了させたときや最後まで再生後に終了させたときなどに、消去を実行するか否かを問い合わせ、ユーザ入力を待つ。消去を実行する場合には、コピーされた出力専用データ等を自動的に選択し消去すればよい。また、ここで可搬記録媒体３０側のデータの消去を実行するとユーザ操作されたデータについてのみ、再生済みリストに視聴済みとして記述するようにしてもよい。
【００７９】
さらに別の消去手順としては、まず携帯端末装置３で、ユーザが再生を途中で終了させたときや最後まで再生後に終了させたときなどに、携帯端末装置３で及び／又は録画装置１側で、そのデータの消去を実行するか否かを問い合わせ、ユーザ入力を待つ。可搬記録媒体３０内にコピーされたデータを消去するユーザ入力があった場合には、携帯端末装置３が消去を実行すればよい。記憶部１６内のコピー元のデータ等を消去するユーザ入力があった場合には、携帯端末装置３の再生済み情報記録部が、そのコピーされたデータを再生済みとするように再生済みリストに記録して、録画装置１が後にその可搬記録媒体３０を参照して必要な消去を実行すればよい。このときにも、ステップＳ１３，Ｓ１４で説明したように、消去実行前に再度ユーザに確認を行うようにしてもよい。
【００８０】
また、可搬記録媒体３０内のコピーされたデータを再生後に消去するか否かについて、可搬記録媒体３０内又は携帯端末装置３の内蔵メモリ内に、常にユーザ設定（又はデフォルト設定）として保持しておき、そのユーザ設定（又はデフォルト設定）に基づき携帯端末装置３が消去を実行してもよい。同様に、記憶部１６内のコピー元のデータをコピーされたデータが再生済みとなった場合に消去するか否かについて、記憶部１６内又は録画装置１の他の内蔵メモリ内に、常にユーザ設定（又はデフォルト設定）として保持しておき、そのユーザ設定（又はデフォルト設定）に基づき録画装置１が消去を実行してもよい。
【００８１】
また、記憶部１６や可搬記録媒体３０に記録されたデータについて、様々な消去方法を説明したが、いずれの場合にも、保護フラグが有効になっているデータについては消去の対象から外すことが好ましい。なお、録画装置１は、記憶部１６内の映像データについて、操作部１４からのユーザ設定により保護フラグを有効にすることが可能に構成できる。同様に、録画装置１からのコピー時のユーザ設定又は携帯端末装置３でのユーザ設定により、可搬記録媒体３０内の映像データについて保護フラグを有効にすることが可能に構成できる。
【００８２】
さらに、実際に消去する代わりに待避領域（いわゆるゴミ箱）に移動してもよいし、或いは“未視聴フラグ”の設定を解除（消去）するだけでもよい。例えば、未視聴フラグがＯＮの場合には、録画したが再生していないファイルをユーザに示すために「Ｎｅｗ」などと録画リスト上で表示するが、未視聴フラグがＯＦＦになった（消去された）場合にはこの「Ｎｅｗ」の表示を消すとよい。このように、コピー元のデータを消去する代わりに、コピー元のデータの未視聴フラグ等の未視聴情報を消去し、視聴済みにしてもよい。
【００８３】
次に本発明の他の実施形態として、図６を参照しながら、再生済みリストの他の例及びそれに基づく消去処理について説明する。図６は、図１の録画管理システムにおける携帯端末装置で格納される再生済みリストの他の例を示す図である。
【００８４】
本実施形態について、基本的に、上述した各例から変更される点を中心に説明する。本実施形態では、可搬記録媒体３０に録画装置１からコピー済みの映像データであるか否かに拘わらず、携帯端末装置３で再生済み情報に記述して、録画装置１内の同じコンテンツ（同じチャンネルで且つ同じ放送日時等の映像データ）を消去対象とする。
【００８５】
そのため、本実施形態に係る携帯端末装置３は、映像データ（実際には映像データを含む放送番組データ）を受信する放送受信部と、放送受信部で受信した映像データを再生する放送番組再生部をさらに備える。そして、再生済み情報記録部は、放送番組再生部で再生された映像データについても、再生済み情報を可搬記録媒体３０に記録する。このとき、可搬記録媒体３０内の再生済み情報と記憶部１６内の映像データや出力専用データ（コピー元のデータとは限らない）とを対応させるために、再生済み情報には番組情報（チャンネル、放送日時等）を記録しておく。
【００８６】
また、携帯端末装置３は、内蔵の放送受信部で受信した映像データを、可搬記録媒体３０に記録する放送番組記録部をさらに備えるようにしてもよい。そして、再生済み情報記録部は、放送番組記録部で記録され再生された映像データについても、同様に再生済み情報を可搬記録媒体３０に記録する。
【００８７】
図６に示す再生済みリスト３１ｂでは、圧縮ファイルＡ（３２ａ），Ｂ（３２ｂ）といった可搬記録媒体３０に録画装置１からコピーされた映像データについてだけでなく、ファイル名「−」で示した携帯端末装置３内蔵の放送受信部で受信したワンセグ等の映像データと、ファイル名「録画ファイルＩ」で示した携帯端末装置３内蔵の放送受信部及び放送番組記録部で受信・記録されたワンセグ等の映像データとについても、再生済み情報を記述している。携帯端末装置３側で放送受信し表示した映像データは、常に再生済みフラグが「１」として記録される。また、放送受信した映像データを可搬記録媒体３０に録画した結果としての映像データは、圧縮ファイルＡ（３２ａ）等と同様に再生された段階で再生済みフラグを「０」から「１」に変更する。
【００８８】
また、再生済みリスト３１ｂでは、各映像データについて再生済みフラグが番組情報に関連付けられて記述されており、記憶部１６内の映像データや出力専用データと対応させるために、番組情報として、ファイル名、チャンネル、放送日時の情報が含まれている。勿論、チャンネルと共に地域情報も記述しておくことやさらに番組のタイトルなども記述しておくことが検索精度を上げる上で好ましい。
【００８９】
このように、録画装置１で録画したが、同じコンテンツのワンセグ版などを別途、携帯端末装置３でリアルタイムに視聴した場合や携帯端末装置３で録画後に視聴した場合に、再生済みリストに記録することで、その再生済みリストを読んだ録画装置１が、対応する映像データを消去対象としてユーザに消去の問い合わせを行うことや対応する映像データを消去することができる。
【００９０】
例えば、再生済みリスト３１ｂのファイル名「録画ファイルＩ」のチャンネル及び放送日時が、記憶部１６内の録画ファイルＣ（１７ｃ）や圧縮ファイルＣ（１８ｃ）のチャンネル及び放送日時と一致した場合には、再生済みリスト３１ｂを読んだ録画装置１が、圧縮ファイルＣ（１８ｃ）又は圧縮ファイルＣ（１８ｃ）及び録画ファイルＣ（１７ｃ）を消去対象とすることができる。
【００９１】
また、上述した各例では、映像データや出力専用データのコピー先が携帯端末装置３で使用可能な可搬記録媒体３０であるものとして説明したが、コピー先を、携帯端末装置３に内蔵された内部記録媒体（内蔵メモリ等）にしてもよい。
【００９２】
この例では、上述したデータ出力部が、可搬記録媒体３０の代わりに、録画装置１に接続された携帯端末装置３の内部記録媒体に映像データや出力専用データをコピーすればよい。そして、携帯端末装置３側で再生済み情報をその内部記録媒体に記録しておき、上述した消去部が、録画装置１に接続された携帯端末装置３の内部記録媒体からその再生済み情報を読み出せば、その再生済み情報に応じた消去が可能となる。但し、携帯端末装置３においてその内部記録媒体が外部からマスストレージモードで接続可能に構成しておく必要がある。
【００９３】
また、上述した各例において、携帯端末装置３又は録画装置１が、再生済み情報に「コピー元」を示す項目を追加で設け、その項目に、コピーを実行した録画装置を特定するための機器情報を記述するようにし、消去対象の検索に生かすようにしてもよい。この機器情報としては、機器ＩＤ等が挙げられる。例えば、録画装置１が携帯端末装置３又は他種の機器と無線／有線ＬＡＮ（Local Area Network）で接続可能となっていれば、ＭＡＣ（Media Access Control）アドレスを、機器情報として採用できる。また、録画装置１がＵＳＢ接続可能な機器であれば、一般的に、デバイス情報としてシリアル番号のフィールドがあり、そのシリアル番号を機器情報として採用できる。
【００９４】
再生済み情報に「コピー元」の項目の追加時や消去対象の検索時に、録画装置１が自身の機器情報を得るのは、このようにして容易に実行できる。携帯端末装置３側で録画装置１の機器情報を得て再生済み情報にコピー元としての機器情報を記述するような構成の場合には、録画装置１がコピーするデータに機器情報を付加してコピーを実行しておくなどすればよい。また、録画装置１が消去対象の検索時に自身の機器情報を得るのも上述したように容易に実行できる。
【００９５】
この例では、可搬記録媒体３０（又は携帯端末装置の内部記録媒体）に映像データをコピーした録画装置Ｒが録画装置１ではない場合には、携帯端末装置３は録画装置Ｒをコピー元として再生済み情報を記述する。従って、後で、録画装置１がその可搬記録媒体３０（又は内部記録媒体）からその映像データに関する再生済み情報を読み出したとき、その再生済み情報内の機器情報を参照して録画装置１自身とは異なる録画装置Ｒでコピーされた映像データが再生されたことを認識できる。これにより、録画装置１は、同じチャンネル及び放送日時の映像データが録画装置１の記憶部１６内に存在したとしても、記憶部１６内のその映像データを消去しないように又は消去対象として検索しないようにすることができる。
【００９６】
また、他の例として、録画装置１のコピー先を複数の携帯端末装置３に対応させる際に、一方の携帯端末装置Ｋ１での再生により、他方の携帯端末装置Ｋ２に未コピーのデータが消去されてしまわないように構成することもできる。元の映像データが消去されてしまうと、携帯端末装置Ｋ２にはコピーできないし、元の映像データが残っていても出力専用データが消去されてしまうと、携帯端末装置Ｋ２へのコピー時に再度、出力専用データを生成する時間が必要になる。このような問題をここで説明する例では解消することができる。
【００９７】
より具体的な構成について説明する。まず、録画装置１は、携帯端末装置３の機器情報又はユーザ情報を、コピー対象の映像データや出力専用データと関連付けて、予め記憶部１６等に登録しておく。携帯端末装置３の機器情報も、録画装置１の機器ＩＤ等として説明したように、自身のＭＡＣアドレスやシリアル番号等が適用できる。ユーザ情報は、ユーザ入力で設定した情報をはじめ、電話番号や登録氏名なども適用することもできる。携帯端末装置３の機器情報又はユーザ情報は、録画装置１が携帯端末装置３と接続したときに携帯端末装置３から事前に取得することや、可搬記録媒体３０に記録してその可搬記録媒体３０から事前に取得することができる。このようにして、録画装置１において、コピー対象のデータとコピーが必要な携帯端末装置３のリストとが関連付けられて登録できる。
【００９８】
次に、携帯端末装置３は、再生済み情報に「再生機器」の項目を追加し、その項目に、携帯端末装置３自身の機器情報又はユーザ情報を記述しておき、録画装置１が再生済み情報を読み出すときにその機器情報又はユーザ情報を読み出す。若しくは、録画装置１が再生済み情報を読み出すときに、同時に携帯端末装置３の機器情報又はユーザ情報を取得する。
【００９９】
そして、録画装置１は、いずれかの方法で取得した機器情報又はユーザ情報と、映像データに関する再生済み情報と、コピーが必要な携帯端末装置３のリストとを比較し、その映像データをコピーしていない携帯端末装置３が少なくとも１つある場合には消去対象から外すとよい。つまり、録画装置１は、再生済み情報に基づき記憶部１６から消去対象を検索するときに、コピーが必要な携帯端末装置３のリストに登録された携帯端末装置のうち、１つでもコピーを実行していないか或いは消去を許可していないときに、消去対象から外す。また、例えば登録済みの２台の携帯端末装置Ｋ１，Ｋ２の双方に同じ圧縮ファイルをコピーすることを想定し、携帯端末装置Ｋ１のみにコピーが完了し、再生済みとなった場合、「他のユーザの携帯端末装置にコピーしていませんが、消去しますか？」などと問い合わせ、その結果に応じて消去を実行するようにしてもよい。
【０１００】
最後に、放送番組データ以外の入力データの取り扱いについて説明する。上述した各例では、録画装置１内に記録されるデータが、録画装置１の放送受信部で受信した映像データであることを前提に説明した（出力専用データは除く）が、それ以外の入力データであっても記録対象として同様に適用することができ、出力専用データの生成対象、コピー対象、及び消去対象としても同様に適用できる。例えば、他の録画装置等からダビング用に入力された映像データ、チューナ機器から外部入力された映像データ、ネットワーク経由でサーバ装置等からダウンロード用に入力された又はストリーム配信された映像データなども適用できる。
【０１０１】
但し、携帯端末装置３側で入力された映像データをそのまま又は携帯端末装置３で記録後に再生したときに、再生済みとして録画装置１側で対応の映像データや出力専用データを消去する実施形態においては、録画装置１が記憶部１６内の対応する入力データを抽出できる必要がある。そのため、携帯端末装置３では、記憶部１６内の映像データや出力専用データと対応させることが可能なコンテンツ情報、例えばファイル名、タイトル、取得先などを、再生済み情報に記述しておく必要がある。勿論、携帯端末装置３では、放送受信部及び放送番組再生部（及び放送番組記録部）の代わりに、若しくは放送受信部及び放送番組再生部（及び放送番組記録部）と共に、入力データを上述した各種手法で入力するためのデータ入力部とその入力データを再生するデータ再生部と（その入力データを可搬記録媒体３０又は内蔵メモリに記録するためのデータ記録部と）を備えておく必要がある。
【符号の説明】
【０１０２】
１…録画装置、２…表示装置、３…携帯端末装置、１０…制御部、１１…録画部、１２…映像入力部、１３…映像出力部、１４…操作部、１５…通信部、１６…記憶部、１７ａ…録画ファイルＡ、１７ｂ…録画ファイルＢ、１７ｃ…録画ファイルＣ、１８ａ，３２ａ…圧縮ファイルＡ、１８ｂ，３２ｂ…圧縮ファイルＢ、１８ｃ…圧縮ファイルＣ、２１…問合せ画面、３０…可搬記録媒体、３１，３１ａ，３１ｂ…再生済みリスト。
【図１】
2010244595.tif 000003
【図２】
2010244595.tif 000004
【図３】
2010244595.tif 000005
【図４】
2010244595.tif 000006
【図５】
2010244595.tif 000007
【図６】
2010244595.tif 000008